(57)【要約】【課題】建物の中央部にいる人に閉塞感を与えることなく、前記建物が地震荷重に効果的に抵抗できるようにすること。【解決手段】中央部と該中央部の周囲の周縁部とを有する建物は、前記中央部に該中央部の周方向に間隔を置いて設けられた複数の内柱と、互いに隣接する２つの内柱の間に設けられた梁と、前記中央部を取り巻き、前記内柱及び前記梁の少なくとも一方に接続された第１スラブと、該第１スラブと前記周縁部との間に設けられた第２スラブとを含み、前記第１スラブの厚さは前記第２スラブの厚さより厚い。【選択図】図１
2010116701.tif 000002
【特許請求の範囲】
【請求項１】
中央部と、該中央部の周囲の周縁部とを有する建物であって、
前記中央部に該中央部の周方向に間隔を置いて設けられた複数の内柱と、
互いに隣接する２つの内柱の間に設けられた梁と、
前記中央部を取り巻き、前記内柱及び前記梁の少なくとも一方に接続された第１スラブと、該第１スラブと前記周縁部との間に設けられた第２スラブとを含み、
前記第１スラブの厚さは前記第２スラブの厚さより厚い、建物。
【請求項２】
前記第１スラブの厚さは前記中央部からその外方に向けて漸減する、請求項１に記載の建物。
【請求項３】
前記第１スラブは、枠状のプレートと、該プレートの下面に間隔を置いて形成され、それぞれが前記プレートの周方向に伸びる一対の第１リブと、該第１リブの間に間隔を置いて形成され、それぞれが前記第１リブと直交する複数の第２リブとからなる、請求項１に記載の建物。
【請求項４】
四角形の平面形状を有する中央部と、該中央部の周囲の周縁部とを有する建物であって、
前記中央部に該中央部の周方向に間隔を置いて設けられた複数の内柱であって前記中央部の隅部に位置する４つの第１内柱を含む複数の内柱と、
前記周縁部に間隔を置いて設けられた複数の外柱であってそれぞれが前記第１内柱を縦方向に結ぶ直線上に位置する複数の第１外柱とそれぞれが前記第１内柱を横方向に結ぶ直線上に位置する複数の第２外柱とを含む複数の外柱と、
互いに隣接する２つの内柱の間に設けられた第１梁と、前記縦方向に互いに隣接する前記第１内柱と前記第１外柱との間及び前記横方向に互いに隣接する前記第１内柱と前記第２外柱との間のそれぞれに設けられた第２梁と、互いに隣接する２つの外柱の間に設けられた第３梁と、
前記中央部を取り巻き、前記内柱及び前記第１梁の少なくとも一方に接続された第１スラブと、該第１スラブと前記周縁部との間に設けられた第２スラブとを含み、
前記第１スラブの厚さは前記第２スラブの厚さより厚い、建物。
【発明の詳細な説明】
【技術分野】
【０００１】
本発明は、建物に関する。
【背景技術】
【０００２】
従来、高層の建物には、中央部と、該中央部の周囲の周縁部とを有し、前記中央部を取り囲む耐震壁と、前記周縁部に設けられ、前記耐震壁を取り囲む外周フレームとを含むものがある（特許文献１参照）。
【特許文献１】特開平７−２６７８６号公報
【発明の開示】
【発明が解決しようとする課題】
【０００３】
前記耐震壁により前記中央部の曲げ剛性を高めることができ、前記建物が水平方向の地震力を受けたときに前記建物が前記地震力に効果的に抵抗できるようにすることができる。このため、前記中央部と前記周縁部との間の領域に必要な柱の数を少なくすることができ、又は前記領域に柱を要しないようにすることができる。これにより、柱の制約を受けることなく前記領域を有効に利用することができる。しかし、前記耐震壁は、前記中央部における採光、風通し及び見通しを悪化させ、前記中央部にいる人に閉塞感を与え、前記中央部にいる人を不快にさせる。
【０００４】
本発明の目的は、建物の中央部にいる人に閉塞感を与えることなく、前記建物が地震力に効果的に抵抗できるようにすることである。
【課題を解決するための手段】
【０００５】
本発明は、建物の中央部を取り囲む耐震壁に代えて、前記中央部にその周方向に間隔を置いて設けられた複数の内柱と、互いに隣接する２つの内柱の間に設けられた梁と、前記中央部を取り巻きく第１スラブとにより、前記中央部の曲げ剛性を高める。これにより、前記中央部にいる人に閉塞感を与えることなく、前記建物が地震力に効果的に抵抗できるようにする。
【０００６】
本発明に係る、中央部と該中央部の周囲の周縁部とを有する建物は、前記中央部に該中央部の周方向に間隔を置いて設けられた複数の内柱と、互いに隣接する２つの内柱の間に設けられた梁と、前記中央部を取り巻き、前記内柱及び前記梁の少なくとも一方に接続された第１スラブと、該第１スラブと前記周縁部との間に設けられた第２スラブとを含み、前記第１スラブの厚さは前記第２スラブの厚さより厚い。
【０００７】
前記第１スラブは前記内柱及び前記梁を補強する。前記内柱、前記梁及び前記第１スラブにより、前記中央部の曲げ剛性を高めることができ、前記建物は地震力に効果的に抵抗することができる。また、互いに隣接する２つの内柱及びこれらの間に設けられた梁により規定される領域に開口部を設けることができ、前記開口部により前記中央部の採光、風通し又は見通しを良くすることができる。このため、前記中央部を開放的にすることができ、前記中央部にいる人に閉塞感を与えないようにすることができる。
【０００８】
前記第１スラブと前記周縁部との間に設けられた前記第２スラブは、前記中央部と前記周縁部との間に設けられた従来のスラブと比べて、スパン長が短い。このため、前記第２スラブの厚さを前記従来のスラブの厚さと比べて薄くすることができ、前記第２スラブの下面の高さを高くすることができる。これにより、前記第２スラブの下方の空間を上下方向に広くすることができ、該空間を有効に利用することができる。
【０００９】
前記第１スラブの厚さは前記中央部からその外方に向けて漸減するものとすることができる。これにより、前記第１スラブと前記第２スラブとの境界部分における前記第１スラブの厚さと前記第２スラブの厚さとの差異を小さくすることができ、前記内柱、前記第１梁及び前記第１スラブが地震時に受ける水平力により前記境界部分に応力集中が生じるのを防止することができ、前記境界部分にひび割れが生じないようにすることができる。
【００１０】
前記第１スラブは、枠状のプレートと、該プレートの下面に間隔を置いて形成され、それぞれが前記プレートの周方向に伸びる一対の第１リブと、該第１リブの間に間隔を置いて形成され、それぞれが前記第１リブと直交する複数の第２リブとからなるものとすることができる。前記第１リブ及び前記第２リブは前記プレートを補強する。これにより、前記第１スラブは、その断面積が比較的小さくても、前記内柱及び前記梁を補強することができる。このため、前記第１スラブを軽量化することができる。
【００１１】
本発明に係る、四角形の平面形状を有する中央部と該中央部の周囲の周縁部とを有する建物は、前記中央部に該中央部の周方向に間隔を置いて設けられた複数の内柱であって前記中央部の隅部に位置する４つの第１内柱を含む複数の内柱と、前記周縁部に間隔を置いて設けられた複数の外柱であってそれぞれが前記第１内柱を縦方向に結ぶ直線上に位置する複数の第１外柱とそれぞれが前記第１内柱を横方向に結ぶ直線上に位置する複数の第２外柱とを含む複数の外柱と、互いに隣接する２つの内柱の間に設けられた第１梁と、前記縦方向に互いに隣接する前記第１内柱と前記第１外柱との間及び前記横方向に互いに隣接する前記第１内柱と前記第２外柱との間のそれぞれに設けられた第２梁と、互いに隣接する２つの外柱の間に設けられた第３梁と、前記中央部を取り巻き、前記内柱及び前記第１梁の少なくとも一方に接続された第１スラブと、該第１スラブと前記周縁部との間に設けられた第２スラブとを含み、前記第１スラブの厚さは前記第２スラブの厚さより厚い。
【発明の効果】
【００１２】
本発明によれば、建物が、その中央部に該中央部の周方向に間隔を置いて設けられた複数の内柱と、互いに隣接する２つの内柱の間に設けられた梁と、前記中央部を取り巻く第１スラブとを有し、前記内柱、前記梁及び前記第１スラブにより、前記中央部の曲げ剛性を高めることができる。このため、前記中央部が耐震壁により取り囲まれている場合のように前記中央部にいる人に閉塞感を与えることなく、前記建物が地震力に効果的に抵抗できるようにすることができる。
【発明を実施するための最良の形態】
【００１３】
図１に示すように、中央部１０と、該中央部の周囲の周縁部１２とを有する建物１４が存在する。建物１４は、中央部１０に該中央部の周方向に間隔を置いて設けられた複数の内柱１６、１８と、互いに隣接する２つの内柱１６、１８の間に設けられた梁（第１梁）２０と、中央部１０を取り巻く第１スラブ２２と、該第１スラブと周縁部１２との間に設けられた第２スラブ２４とを含む。
【００１４】
中央部１０は四角形の平面形状を有する。内柱１６、１８は、中央部１０の隅部に位置する４つの第１内柱１６と、互いに隣接する２つの第１内柱１６の間に位置する少なくとも１つの第２内柱１８とを含む。中央部１０は吹抜けからなる。
【００１５】
周縁部１２は、中央部１０とほぼ等しい平面形状を有する。建物１４は、周縁部１２に間隔を置いて設けられた複数の外柱２６、２８、３０を有する。外柱２６、２８、３０は、それぞれが第１内柱１６を縦方向（図１における上下方向）に結ぶ直線上に位置する複数の第１外柱２６と、それぞれが第１内柱１６を横方向（図１における左右方向）に結ぶ直線上に位置する複数の第２外柱２８と、互いに隣接する２つの第１外柱２６の間、互いに隣接する２つの第２外柱２８の間及び互いに隣接する第１外柱２６と第２外柱２８との間のそれぞれに位置する複数の第３外柱３０とを含む。
【００１６】
建物１４は、前記縦方向に互いに隣接する第１内柱１６と第１外柱２６との間及び前記横方向に互いに隣接する第１内柱１６と第２外柱２８との間のそれぞれに設けられた第２梁３２と、互いに隣接する２つの外柱２６、２８、３０の間に設けられた第３梁３４とを含む。
【００１７】
第１スラブ２２は内柱１６、１８及び第１梁２０の双方に接続されている。図２に示すように、第１スラブ２２の厚さは第２スラブ２４の厚さより厚い。第１スラブ２２は内柱１６、１８及び第１梁２０を補強する。第１スラブ２２は第２梁３２に支持されている。
【００１８】
建物１４が、中央部１０にその周方向に間隔を置いて設けられた複数の内柱１６、１８と、互いに隣接する２つの内柱１６、１８の間に設けられた第１梁２０と、中央部１０を取り巻く第１スラブ２２とを有するため、内柱１６、１８、第１梁２０及び第１スラブ２２により、従来必要とされた建物の中央部を取り囲む耐震壁（図示せず）によることなく、中央部１０の曲げ剛性を高めることができる。このため、互いに隣接する２つの内柱１６、１８に開口部（図示せず）を設けることにより、採光、風通し及び見通しを良くすることができ、中央部１０にいる人に閉塞感を与えることがないようにすることができる。
【００１９】
また、中央部１０の曲げ剛性を高めることにより、建物１４は、地震時に受ける水平力に効果的に抵抗することができる。このため、中央部１０と周縁部１２との間の領域に必要な柱の数を少なくすることができ、又は前記領域に柱を要しないようにすることができる。これにより、柱の制約を受けることなく前記領域を有効に利用することができる。
【００２０】
第１内柱１６と、第１外柱２６と、前記縦方向に互いに隣接する２つの内柱１６、１８間の第１梁２０と、第１内柱１６と第１外柱２６との間の第２梁３２とは、地震時に建物１４が受ける水平力の前記縦方向の成分に抵抗するラーメン構造を構成する。また、第１内柱１６と、第２外柱２８と、前記横方向に互いに隣接する２つの内柱１６、１８間の第１梁２０と、第１内柱１６と第２外柱２８との間の第２梁３２とは、前記水平力の前記横方向の成分に抵抗するラーメン構造を構成する。内柱１６、１８、外柱２６、２８、３０、第１梁２０、第２梁３２及び第３梁３４のそれぞれは鉄筋コンクリートからなる。
【００２１】
第１スラブ２２の上面は、平坦であり、第２スラブ２４の上面と同じ高さに位置する。第１スラブ２２の厚さは、図２に示したように、中央部１０からその外方に向けて漸減する。これにより、第１スラブ２２と第２スラブ２４との境界部分において第１スラブ２２の断面形状と第２スラブ２４との断面形状との差異を小さくすることができ、内柱１６、１８、第１梁２０及び第１スラブ２２が地震力を受けたときに前記境界部分に応力集中が生じるのを防止することができ、前記境界部分にひび割れが生じないようにすることができる。第１スラブ２２の厚さは、中央部１０からその外方に向けて漸減する図２に示した例に代え、一定でもよい。
【００２２】
図３に示す例では、第１スラブ２２の上方の空間及び第１スラブ２２の下方の空間のそれぞれは、廊下、ベランダ等のような共用空間３６として利用され、第２スラブ２４の上方の空間及び第２スラブ２４の下方の空間のそれぞれは、居間、寝室等のような住居空間３８として利用される。第１スラブ２２の上方及び下方のそれぞれに、第１スラブ２２の外縁部４０に接続された壁４２が設けられており、該壁は共用空間３６と住居空間３８とを隔てている。
【００２３】
第２スラブ２４は第１スラブ２２及び第３梁３４に支持されている。このため、従来の建物のように第２スラブ２４が第１梁２０及び第３梁３４に支持されている場合と比べて、第２スラブ２４のスパン長が短く、第２スラブ２４の厚さを薄くすることができる。これにより、第２スラブ２４の下面の高さを高くすることができ、住居空間３８を上下方向に広くすることができる。
【００２４】
第１スラブ２２の下面は該第１スラブの外縁部４０において水平であり、壁４２が水平な上端面を有する場合、第１スラブ２２の下方に配置された壁４２と第１スラブ２２の外縁部４０との間に隙間を生じさせることがなく、壁４２と第１スラブ２２の外縁部４０との接続作業がしやすい。第１スラブ２２の上面に凹所４４が設けられており、該凹所に、住居空間３８から共用空間３６へ伸びる配管（図示せず）が配置される。第１スラブ２２及び第２スラブ２４のそれぞれの上に床板４６が配置される。
【００２５】
図４、５に示す例では、第１スラブ２２がリブを有していない図３に示した例に代え、第１スラブ２２が、枠状のプレート４８と、該プレートの下面に間隔を置いて形成された一対の第１リブ５０と、該第１リブの間に間隔を置いて形成された複数の第２リブ５２とからなる。一方の第１リブ５０は第１スラブ２２の外縁部４０に存在し、他方の第１リブ５０は第１スラブ２２の内縁部５４に存在する。各第１リブ５０はプレート４８の周方向に伸びており、各第２リブ５２は第１リブ５０と直交している。第１リブ５０及び第２リブ５２はプレート４８を補強する。これにより、第１スラブ２２は、その断面積が比較的小さくても、内柱１６、１８及び第１梁２０を補強することができ、第１スラブ２２の軽量化を図ることができる。
【００２６】
第１スラブ２２は、図１に示した例では、内柱１６、１８及び第１梁２０の双方に接続されているが、これに代え、内柱１６、１８のみに接続され、第１梁２０に接続されていなくてもよい。また、第１スラブ２２は、第１梁２０のみに接続され、内柱１６、１８に接続されていなくてもよい。建物１４は高層建物である。第１スラブ２２は、建物１４の全ての層に設けられていてもよいし、任意の層に設けられていてもよい。
【００２７】
図１に示した例では、中央部１０と周縁部１２との間の領域に柱が存在しないが、これに代え、前記領域に柱が存在していてもよい。例えば、前記縦方向に互いに隣接する第１内柱１６と第１外柱２６との間に他の柱（図示せず）が設けられ、第１内柱１６と前記他の柱との間及び前記他の柱と第１外柱２６との間のそれぞれに梁（図示せず）が設けられていてもよい。また、前記横方向に互いに隣接する第１内柱１６と第２外柱２８との間に他の柱（図示せず）が設けられ、第１内柱１６と前記他の柱との間及び前記他の柱と第２外柱２８との間のそれぞれに梁（図示せず）が設けられていてもよい。
【００２８】
互いに隣接する２つの第１外柱２６の間に位置する第３外柱３０は、第２内柱１８を前記縦方向に結ぶ直線上にあり、互いに隣接する２つの第２外柱２８の間に位置する第３外柱３０は、第２内柱１８を前記横方向に結ぶ直線上にある。図１に示した例では、前記縦方向に互いに隣接する第２内柱１８と第３外柱３０との間及び前記横方向に互いに隣接する第２内柱１８と第３外柱３０との間のいずれにも梁が設けられていないが、これに代え、前記縦方向に互いに隣接する第２内柱１８と第３外柱３０との間に梁（図示せず）が設けられていてもよく、前記横方向に互いに隣接する第２内柱１８と第３外柱３０との間に梁（図示せず）が設けられていてもよい。
【００２９】
中央部１０の平面形状は、図１に示した例では、四角形であるが、これに代え、三角形や五角形のような他の多角形でもよいし、円形でもよい。また、周縁部１２の平面形状は、図１に示した例では、八角形であるが、これに代え、三角形、四角形又は五角形のような他の多角形でもよいし、円形でもよい。
【図面の簡単な説明】
【００３０】
【図１】本発明の第１実施例に係る建物の平面図。
【図２】図１の線２における建物の断面図。
【図３】本発明の第２実施例に係る建物の断面図。
【図４】本発明の第３実施例に係る建物の断面図。
【図５】図４の線５における建物の平面図。
【符号の説明】
【００３１】
１０    中央部
１２    周縁部
１４    建物
１６、１８    内柱
２０    梁（第１梁）
２２    第１スラブ
２４    第２スラブ
２６    第１外柱
２８    第２外柱
３０    第３外柱
３２    第２梁
３４    第３梁
４８    プレート
５０    第１リブ
５２    第２リブ
【図１】
2010116701.tif 000003
【図２】
2010116701.tif 000004
【図３】
2010116701.tif 000005
【図４】
2010116701.tif 000006
【図５】
2010116701.tif 000007